(57)【要約】  インクジェットプリンタのインクカートリッジのためのシール部材は、カートリッジのインク供給口を密閉するシール端部を備える。シール部材は円柱状に形成され、その内側には円筒状の穴部が形成され、穴部はプリンタにおけるインク供給針の直径よりも大きな直径を有する。カートリッジのインク供給口を密閉するためのシール端部は、円柱状の側面、又は少なくとも１つの環状の密閉フランジが施された円柱状の側面を有する。一方の端面はカートリッジがプリンタから取り外された後にインクがインク供給口から流出するのを防ぐ密閉面として形成され、もう一方の端面は、その中央に小さな孔部が施された平面として形成される。孔部の寸法はプリンタにおけるインク供給針を密閉するのに十分な大きさに形成される。このシール部材は、カートリッジがプリンタに取り付けられた際はプリンタのインク供給針を密閉し、カートリッジがプリンタから取り外された際はインク漏れを防ぐ。
2008526567.tif 000002
【特許請求の範囲】
【請求項１】
インクジェットプリンタのインクカートリッジのためのシール部材であって、インクカートリッジにおけるインク供給口を密閉するためのシール端部を備え、上記シール部材は円柱状をなし、その内側には円筒状の穴部が形成され、該穴部はプリンタのインク供給針の直径よりも大きな直径を有することを特徴とするシール部材。
【請求項２】
インクカートリッジにおけるインク供給口を密閉するための上記シール端部は円筒状に形成され、該シール端部の一方の端面はインクカートリッジがプリンタから取り外された後にインク供給口からインクが流出するのを防ぐために密閉面として形成され、もう一方の端面は、その中央にプリンタのインク供給針を密閉するのに適した寸法の孔部が施された平面として形成されることを特徴とする請求項１に記載のインクジェットプリンタのインクカートリッジのためのシール部材。
【請求項３】
インクカートリッジにおけるインク供給口を密閉するための上記シール端部は少なくとも１つの環状の密閉フランジを円筒状の側面に備え、上記シール端部の一方の端面はインクカートリッジがプリンタから取り外された後にインク供給口からインクが流出するのを防ぐための密閉面として形成され、もう一方の端面は、その中央にプリンタのインク供給針を密閉するのに適した寸法の孔部が施された平面として形成されることを特徴とする請求項１に記載のインクジェットプリンタのインクカートリッジのためのシール部材。
【請求項４】
インクカートリッジにおけるインク供給口を密閉するための上記シール端部は、２つの環状の密閉フランジを備えることを特徴とする請求項３に記載のインクジェットプリンタのインクカートリッジのためのシール部材。
【請求項５】
上記密閉面又は少なくとも密閉面におけるインク供給針が貫通される部分は、弾性かつ伸縮自在の素材から形成されることを特徴とする請求項２〜４のいずれか１項に記載のインクジェットプリンタのインクカートリッジのためのシール部材。
【発明の詳細な説明】
【技術分野】
【０００１】
本発明は、インクジェットプリンタのインクカートリッジのためのシール部材に関する。
【背景技術】
【０００２】
現在、市場に出ているマイクロ圧電インクカートリッジにおけるシール部材には、プリンタのインク供給針を密閉する機能しか備わっておらず、プリンタからインクカートリッジが取り外された後、インク供給口からのインク流出を防ぐことはできない。上記の機能を実現するためには、弾性部品と弁コアとを備えたインク供給口の弁機構を付加する必要がある。そうすると、インクカートリッジに必要な部品は増え、組立工程が複雑化するので、結果としてインクカートリッジの使用費用が増加する。
【発明の開示】
【発明が解決しようとする課題】
【０００３】
本件発明は、従来のインクカートリッジにおける従来のシール部材構造が抱える上記の問題及び欠陥を省みて、インクカートリッジがプリンタに設置された際はインク供給針を密閉し、インクカートリッジがプリンタから取り外された際はインク供給口からインクが流出するのを防ぐ、インクジェットプリンタのインクカートリッジのためのシール部材を提供することを目的とする。  
【０００４】
プリンタのインクカートリッジのためのシール部材は、インクカートリッジにおけるインク供給口を密閉するためのシール端部を備え、上記シール部材は円柱状をなし、その内側には円筒状の穴部が形成され、該穴部はプリンタのインク供給針の直径よりも大きい直径を有する。
【０００５】
インクカートリッジにおけるインク供給口を密閉するための上記シール端部は円筒状に形成され、該シール端部の一方の端面はインクカートリッジがプリンタから取り外された後はインク供給口からインクが流出するのを防ぐために密閉面として形成され、もう一方の端面は、その中央にプリンタのインク供給針を密閉するのに適した寸法の孔部が施された平面として形成される。
【０００６】
インクカートリッジにおけるインク供給口を密閉するためのシール端部は、少なくとも１つの環状の密閉フランジをその円筒状の側面に備え、上記シール端部の一方の端面はインクカートリッジがプリンタから取り外された後にインク供給口からインクが流出するのを防ぐために密閉面として形成され、もう一方の端面は、その中央にプリンタのインク供給針を密閉するのに適した寸法の孔部が施された平面として形成される。
【０００７】
上記密閉面をなす端面ｂ、又は少なくとも密閉面におけるインク供給針が貫通される部分は、プリンタからインクカートリッジが取り外されるとインク供給針が貫通する部分は自動的に密閉され、インク供給口からインクが流出するのを確実に防ぐような、例えばゴムやシリコン等の弾性かつ伸縮自在の素材から形成される。
【０００８】
本発明は上記の技術スキームを取り入れているため、シール部材は非常に単純な構造を有する。インクカートリッジがプリンタに取り付けられると、シール部材はプリンタのインク供給針を密閉する。また、インクカートリッジがプリンタから取り外されると、シール部材はインク供給口からインクが漏れるのを防ぐ。本発明の組立法は非常に簡単であるので、インクカートリッジに要する費用は削減できる。
【発明を実施するための最良の形態】
【０００９】
具体案の詳細な説明及び添付の図面を参照として、本発明のさらなる説明が記される。
【００１０】
図１はシール部材の断面図である。２つの環状のフランジ４は、インクカートリッジのインク供給口８（図２を参照）を密閉するように円筒状の側面に備わる。参照符号６は密閉面である端面ｂを示す。取り付けの際、プリンタのインク供給針は端面を貫通し、穴部５を通過し、端面の中央に形成される孔部２から出て延長する。参照符号３は端面ａを示し、端面ａに形成される孔部はプリンタのインク供給針を密閉する機能を有し、その寸法はプリンタのインク供給針を密閉するのに十分な大きさに形成される。シール部材１の内側に形成される穴部５の直径は、プリンタのインク供給針の直径よりも大きくなるよう形成される。インクカートリッジがプリンタから取り外されると、インク供給口からインクが漏れるのを防ぐように端面ｂは自動的に密閉される。
【００１１】
言うまでもないが、密閉面をなす端面ｂ、又は少なくとも密閉面におけるインク供給針が貫通する部分は弾性で伸縮自在であり、インク供給口からインクが漏れるのを防ぐように、インクカートリッジがプリンタから取り外されるとインク供給針が貫通する部分は自動的に密閉されるような、例えばゴムやシリコン等の弾性素材から形成される。  
【図面の簡単な説明】
【００１２】
【図１】本発明によるシール部材の断面図を示す。
【図２】インクカートリッジに取り付けられた状態の本発明のシール部材の断面図を示す。
【符号の説明】
【００１３】
１      シール部材
２      孔部
３      端面ａ
４      フランジ
５      穴部
６      端面ｂ
８      インク供給口
【図１】
2008526567.tif 000003
【図２】
2008526567.tif 000004
【国際調査報告】
2008526567.tif 000005
2008526567.tif 000006
2008526567.tif 000007
2008526567.tif 000008
2008526567.tif 000009
2008526567.tif 000010